(57)【要約】      （修正有）【課題】チップを装着した状態ではシートベルト上でのプレートの移動を抑制し、チップを外した状態ではプレートの移動を許容するとともに、シートベルトからの脱落を防止し、外したチップの脱落、紛失も防止できるシートベルトストッパーを提供する。【解決手段】シートベルト１３を装着するシートベルト装着口、チップ２を装着するチップ装着口、シートベルトを保持する挿通路６を備えるプレート１、およびベルトの移動を抑制するチップ、ならびにプレートとチップを連結する連結材３で構成し、プレートとチップにはそれぞれ相互に吸引するマグネット、ならびにシートベルトをマグネットにより押圧する摩擦材を備え、挿通路に保持したシートベルトをチップで挟むことによりプレートの移動を抑制し、チップを外した状態ではプレートの移動を許容する。外したチップはプレートの裏面に折り返してマグネットで吸着保持する。【選択図】図１
0003217720.tif 000002
【実用新案登録請求の範囲】
【請求項１】
装着したシートベルトが胸などを圧迫することを防ぐシートベルト補助具に関して、シートベルトを装着するシートベルト装着口、チップを装着するチップ装着口、シートベルトを保持する挿通路などを備えるプレート、およびベルトの移動を抑制するチップ、ならびにプレートとチップを連結する連結材で構成し、プレートおよびチップにはそれぞれ相互に吸引する極性に対向配置するマグネット、ならびにシートベルトをマグネットにより押圧する摩擦材を備え、挿通路に保持したシートベルトをチップで挟むことによりシートベルト上でのプレートの移動を抑制し、チップをプレートから外した状態ではシートベルト上でのプレートの移動を許容するとともに、外したチップはプレートの裏面でプレートとチップのマグネットで吸着させて保持する、常時装着可能な小型で操作性に優れたシートベルトストッパー。
【請求項２】
チップ装着口の一部にシートベルト装着口を形成する、請求項１に記載するシートベルトストッパー。
【請求項３】
プレートとチップそれぞれに略同一形状、略同一吸着面サイズのマグネットを備える、請求項１に記載するシートベルトストッパー。
【請求項４】
プレートにおけるシートベルト挿通路を所定幅に規制する幅規制構造を備える、請求項１に記載するシートベルトストッパー。
【考案の詳細な説明】
【技術分野】
【０００１】搭乗者の安全対策としてシートベルトの装着が法律で義務付けられていますが、長距離を走行する場合などは装着したシートベルトがセンターピラーなどの引き出し口に戻されて装着者の胸などを圧迫して鬱陶しいなどの理由により、シートベルトが引き出し口に戻される事を防ぐためにシートベルトの引き出し長さを固定する各種のシートベルト補助具が販売されており、特にマグネットタイプのシートベルト補助具は装着脱の容易さにより好まれている。
【背景技術】
【０００２】市販されているマグネットタイプのシートベルト補助具は、マグネットが組み込まれた一対のプレートの押圧によりシートベルトが引き出し口に戻される事を防ぐ構造であり，プレートの片端をヒンジ構造で構成し、他端を開放してシートベルトの装着、設定、調節をする構造である。
【考案が解決しようとする課題】
【０００３】市販されているマグネットタイプのシートベルト補助具は、ヒンジ構造のためシートベルト上において移動フリーの状態で常時装着することは出来ず、取り外すか又は非移動での常時装着である。取り外した場合は適切な保管場所が見当たらず、常時装着の場合はシートベルトの装着者は以前の装着者の設定を解除して再設定が必要であり煩わしいとともに、シートベルト補助具の設定、調節をする場合は手で保持していない限りシートベルトから脱落する危険があり狭い車内で脱落した場合に探し出すのは容易で無い。
【課題を解決するための手段】
【０００４】シートベルトを装着するシートベルト装着口、チップを装着するチップ装着口、シートベルトを保持する挿通路などを備えるプレート、およびベルトの移動を抑制するチップ、ならびにプレートとチップを連結する連結材で構成し、プレートおよびチップにはそれぞれ相互に吸引する極性に対向配置するマグネット、ならびにシートベルトをマグネットにより押圧する摩擦材を備え、挿通路に保持したシートベルトをチップで挟むことによりシートベルト上でのプレートの移動を抑制し、チップをプレートから外した状態ではシートベルト上でのプレートの移動を許容するとともに、外したチップはプレートの裏面に折り返してプレートとチップのマグネットで吸着させて保持する
【考案の効果】
【０００５】シートベルトに移動フリーで常時装着可能なプレートとプレートに着脱自在なチップによりシートベルトを挟む構成により、プレートにチップを装着した状態ではシートベルト上でのプレートの移動を抑制し、プレートからチップを外した状態ではシートベルト上でのプレートの移動を許容するとともに、プレートからチップを外した状態でもシートベルトはプレートに挿通されているためプレートがシートベルトから脱落することは無い。また外したチップは連結材でプレートに連結されているとともに、プレートの裏面でプレートのマグネットに吸着させることによりチップの脱落、紛失も防がれるため、シートベルトの装着者は下車する毎に設定を簡単に解くことが出来るため、新たな装着者が以前の装着者の設定を解いて再設定する煩わしさは無くなる。
【考案を実施するための形態】
【０００６】図１，図２に本考案によるシートベルトストッパーの概観概念図、ならびに側面概念図を示し、１はプレート、２はチップ、３は連結構造、４，５は連結構造の屈曲部、７，８はマグネット、９，１０はシートベルト１３に摩擦を与える摩擦材であり、シートベルト１３はプレートとチップの摩擦材でそれぞれ相互に吸引する極性（Ｎ極とＳ極、Ｓ極とＮ極）に配置される一対のマグネットにより押圧されてプレートの移動が規制される。図３はプレートとチップの相関を示す概念図であり、装着口Ａから挿入されたシートベルトは挿入挿通路６に保持され、径φＢのチップ装着口より小径に形成される径φＣのチップ（φＢ＞φＣ）により押圧されてプレートの移動を抑制する。シートベルトの装着口Ａはチップ装着口の一部で形成し、Ａ＜φＣの関係に設定してプレートの移動によりチップがプレートから分離脱落することを防ぐ。さらに、Ａはシートベルトの脱落を防ぐために可能な限り狭幅に形成する必要が有る。
【０００７】チップを装着したプレートは手でシートベルト上を移動させて、シートベルトの引き出し長さを任意に設定することも出来るが、図４はプレートの装着口から外したチップをプレート背面に折り返してマグネットにより吸着保持する状態を示し、３はチップの脱落を防ぐ連結材であり、４、５はチップをプレートの表面、裏面に折り返すための連結材の屈曲部を示す。チップのマグネットは折り返すことによりプレートのマグネットの裏面と吸着する極性である。シートベルトの幅はＪＩＳにより４６ｍｍ以上と規定されているが一定幅には規定されないため、装通路の幅Ｄが大きいとシートベルト上でのプレート移動がスムーズでなくなるため、幅規制構造１１を幅規制構造取り付１２でプレートに取り付けて規制して、シートベルトの挿通路幅をＥに設定する構成例を図５に示す。
【実施例】
【０００８】プレートは３０×６０×１２ｍｍ（装通路幅Ｌ＝５６ｍｍ）、チップはφ３２×８ｍｍ（φＣ＝３２ｍｍ）で共にポリプロピレン樹脂を外皮の素材とした。摩擦材は天然ゴムで２８×３０×２ｍｍ、マグネットはφ２０×２ｍｍのネオジュウム磁石、シートベルト装着口の開口幅Ａは８ｍｍ，チップ装着口φＢはφ３４ｍｍとし、チップ装着口、ならびにチップのいずれも装着脱の方向を気にしなくて良い円形に形成した。チップをプレートから外す場合はチップを斜めに持ち上げれば簡単に外せる。プレートとチップそれぞれに同一形状、同一吸着面サイズの円柱型ネオジュウムマグネットを採用することによりプレートへのチップ吸着位置はずれが全く無く常時一定であるとともに、装着時に装着方向などを気にせずプレートとチップのマグネット同士が引き合うため装着脱は極めて簡単である。【０００９】外したチップはプレートとポリプロピレン樹脂の連結材で連結し、プレートの表に装着するか裏に保持するかの屈曲部はリビングヒンジなどの樹脂ヒンジで形成し、保持場所はプレートの裏側とした。挿通路の幅は幅規制構造取り付により幅規制構造を固定してＥ＝５０ｍｍ，５５ｍｍ、６０ｍｍの選択ができるようにした。樹脂材はＡＢＳ樹脂や塩ビ、ポリプロピレンなどの組み合わせでも良く、摩擦材は天然ゴムに限らずエラストマーなどの合成ゴム、または表面に凹凸を有するプレートなどでも良く、マグネットは十分な押圧が得られればフェライトでも良い。プレートとチップの連結は樹脂ヒンジに限らず鎖や紐でも良く、取り外したチップはプレートの表面に強磁性体の保持構造を設けて表面に保持することもできる。プレートにチップを取り付けた状態でシートベルトタングプレートを外した場合は、タングプレートをチップやプレートのマグネットで固定して保持することも出来るなど、機能、構造、形状、ディメンジョン、各種素材などは、本考案の趣旨を逸脱しない範囲であれば種々変形実施が可能である。
【図面の簡単な説明】
【００１０】
【図１】本考案に基づくシートベルトストッパーの構成概念図を示す。
【図２】本考案に基づくシートベルトストッパーの側面概念図を示す。
【図３】プレートとチップの相関概念図を示す。
【図４】プレートとチップを連結した概念図を示す
【図５】幅規制構造を取り付けたプレートの構成概念図を示す。
【符号の説明】１  プレート                      ８  チップマグネット
２  チップ                        ９  プレート摩擦材
３  連結材                      １０  チップ摩擦材
４  屈曲部                      １１  幅規制構造
５  屈曲部                      １２  幅規制構造取り付
６  シートベルト挿通路          １３  シートベルト
７  プレートマグネット
Ａ  シートベルト装着口（幅）    Ｄ  シートベルト挿通路（幅）
φＢ  チップ装着口（径）          Ｅ  規制されたシートベルト装通路（幅）
φＣ  チップ外径
【図１】
0003217720.tif 000003
【図２】
0003217720.tif 000004
【図３】
0003217720.tif 000005
【図４】
0003217720.tif 000006
【図５】
0003217720.tif 000007